【誤訳訂正書】
【提出日】平成24年1月27日(2012.1.27)
【誤訳訂正１】
【訂正対象書類名】明細書
【訂正対象項目名】特許請求の範囲
【訂正方法】変更
【訂正の内容】
【特許請求の範囲】
【請求項１】
Ａ）式（Ｉ）
Ｒ'ＳｉＲ''2Ｏ（ＳｉＲ''2Ｏ）xＳｉＲ''2Ｒ'
式中、置換基Ｒ'及びＲ''は各場合に同じであるか又は相異なることができ、
そして各々１〜１２個のＣ原子を有するアルキル残基、アリール残基、ビニル残基及び１〜１２個のＣ原子を有するフルオロアルキル残基であり、ｘは０〜１２，０００の値を有し、このポリシロキサンは少なくとも２個のオレフィン性不飽和多重結合を有し、そして必要に応じて式ＳｉＯ4/2及びＲ'ＳｉＯ3/2（ここでＲ'は上記した意味を有することができる）の分岐単位を有することができる、
の少なくとも１種のポリシロキサン、
Ｂ）所望により、ＢＥＴに従う５０〜５００ｍ2／ｇの比表面積を有する少なくとも１種の充填材、
Ｃ）所望により、ＢＥＴに従う５０ｍ2／ｇより小さい比表面積を有する少なくとも１種の充填材、
Ｄ）所望により、少なくとも１種の追加の助剤、
Ｅ）所望により、ジシラザン類、シロキサンジオール類、アルコキシシラン類、シリルアミン類、シラノール類、アセトキシシロキサン類、アセトキシシラン類、クロロシラン類、クロロシロキサン類及びアルコキシシロキサン類よりなる群からの少なくとも１種の飽和疎水化剤、
Ｆ）所望により、各々アルケニル、アルケニルアリール、アクリル及びメタクリルよりなる群からの不飽和残基を有する、多重ビニル置換されたメチルジシラザン類及びメチルシラノール類及びアルコキシシラン類よりなる群からの少なくとも１種の不飽和疎水化剤、
Ｇ）所望により、少なくとも１種のトリメチルシリル末端ブロックドポリシロキサン、
Ｈ）所望により、ヒドロシリル化反応に対する少なくとも１種の抑制剤、
Ｉ）  式ＩＩ
Ｘ2ＤmＤHn
式中、
ａ）Ｘ＝Ｍ、ｍ：ｎ＞１、ｎ≧２及びｍ＋ｎ＞４、
ｂ）Ｘ＝ＭH、ｍ≧１、ｎ≧０及びｍ＋ｎ≧１、又は
ｃ）Ｘ＝Ｍ及びＭH、ｍ≧１及びｎ＞０であり、そして
Ｄ単位は所望によりＤVi、ＤPhe2、ＤPheMe、Ｔ、ＴPhe、Ｑ、ビス（ジアルキルシリル）（Ｃ1〜Ｃ8）アルカンジイル、例えば、ビス−ジアルキルシリルメチレン又はビス−ジアルキルシリルエチレン又はビス−ジアルキルシリルアリーレンにより置換することができ、
ＤH単位は所望によりＴHで置換することができ、そして
Ｍ単位はＭVi、ＭPheにより置換することができる、
に従う、異なるケイ素原子に直接結合している少なくとも２個の水素原子を有し
そして０．５〜７ミリモル／ｇのケイ素原子に直接結合した水素原子の持ち分を有する少なくとも１種のポリ水素シロキサン、及び
Ｊ）白金族の元素を含有する少なくとも１種の触媒、
からなり、
成分Ａ）１００重量部を基準として３重量部より多くの金属酸化物、例えば、Ｆｅ、Ａｌ、Ｚｎ、Ｔｉ、Ｚｒ、Ｃｅ又は他のランタノイドの酸化物及び／又は炭酸塩並びに更なる塩及び錯体化合物の存在は排除される、
絶縁体を製造するためのシリコーンゴム配合物の使用。
【請求項２】
シリコーンゴム配合物が、
−成分Ａ）１００重量部、
−成分Ｂ）０〜７５重量部、
−成分Ｃ）０〜３００重量部、
−成分Ｄ）０〜１０重量部、
−成分Ｅ）０〜２５重量部、
−成分Ｆ）０〜２重量部、
−成分Ｇ）０〜１５重量部、
−成分Ｈ）０〜１重量部、
−成分Ｉ）０．２〜３０重量部及び
−成分Ａ）〜Ｉ）の全量を基準として、成分Ｊ）中の白金族の金属基準で１０〜１００ｐｐｍの成分Ｊ）、
からなる請求項１に記載の使用。
【請求項３】
−ポリシロキサンＡ）が、式（Ｉ）
Ｒ'ＳｉＲ''2Ｏ（ＳｉＲ''2Ｏ）xＳｉＲ''2Ｒ'
式中、置換基Ｒ'及びＲ''は各場合には同じであるか又は相異なることができ、そして各々１〜８個のＣ原子を有するアルキル残基、アリール残基、ビニル残基及び３〜８個のＣ原子を有するフルオロアルキル残基であり、ｘは０〜１２，０００の値を有し、このポリシロキサンは少なくとも２個のオレフィン性不飽和多重結合を有し、そして所望により式ＳｉＯ4/2及びＳｉＯ3/2（ここでＲ'は上記した意味を有することができる）の分岐単位を有することができる、
の少なくとも１種のポリシロキサンであり、
−充填材Ｂ）がＢＥＴに従う５０〜４００ｍ2／ｇの比表面積を有し、そして
−白金族からの触媒Ｊ）が、ヒドロシリル化反応を触媒しそして白金族の金属、例えば、Ｐｔ、Ｒｈ、Ｎｉ、Ｒｕ及び白金族の金属の化合物、例えばその塩又は錯体化合物から選ばれる触媒である、
請求項１又は２に記載の使用。
【請求項４】
−充填材Ｂ）がＢＥＴに従う５０〜４００ｍ2／ｇの表面積を有するケイ酸類から選ばれ、
−不飽和疎水化剤Ｆ）が、不飽和アルケニル、アルケニルアリール、アクリル、メタクリル基を有する１，３−ジビニルテトラメチルジシラザン及びトリアルコキシシラン類よりなる群から選ばれ、
トリメチルシリル末端ブロックドポリシロキサンＧ）がジメチルシロキシ、ジフェニルシロキシ又はフェニルメチルシロキシ基を有するポリシロキサンから選ばれ、但しそれはヒドロシリル化反応に参加するいかなる官能基も含まないものとし、
−ポリ水素シロキサンＩ）が、式ＩＩ
Ｘ2ＤmＤHn
式中、
ａ）Ｘ＝Ｍ、ｍ：ｎ＞１、ｎ≧２及びｍ＋ｎ＞４、
ｂ）Ｘ＝ＭH、ｍ≧１、ｎ≧０及びｍ＋ｎ≧１、又は
ｃ）Ｘ＝Ｍ及びＭH、ｍ≧１及びｎ＞０であり、
そしてＤ単位は所望によりＤVi、ＤPhe2、ＤPheMe、Ｔ、ＴPhe、Ｑ、ビス（ジアルキルシリル）（Ｃ1〜Ｃ8）−アルカンジイル、例えば、ビス−ジアルキルシリルメチレン又はビス−ジアルキルシリルエチレン又はビス−ジアルキルシリルアリーレンにより置換することができ、ＤH単位は所望によりＴHで置換することができ、そしてＭ単位はＭVi、ＭPheにより置換することができ、ＳｉＨ含有率は１０ミリモル／ｇより小さく、好ましくは９ミリモル／ｇより小さく、そしてＭｅＳｉＨＯ単位は単位Ｄ、ＤPhe2、ＤPheMe、ビス−ジアルキルシリルメチレン、ビス−ジアルキルシリルエチレン又はビス−ジアルキルシリルアリ−レンの少なくとも１つにより統計的に分離されている、
の異なるケイ素原子に直接結合している少なくとも２個の水素原子を有するポリ水素シロキサンであり、そして
−白金族からの元素を含有する触媒Ｊ）は、所望により担体上に付着していてもよい白金及び白金化合物、及び白金族の元素の他の化合物から選ばれる、請求項１、２又は３のいずれか１つに記載の使用。
【請求項５】
成分Ｉ）において、ポリマー鎖においてＳｉＨ単位は統計的に隣接していなくて、他のシロキシ単位により分離されており、それにより各ＭｅＳｉＨＯ−（ＤH）単位は、単位ＤVi、ＤPhe2、ＤPheMe、Ｔ、ＴPhe、Ｑ、ビス（ジアルキルシリル）（Ｃ1〜Ｃ8）アルカンジイル、例えば、ビス−ジアルキルシリルメチレン又はビス−ジアルキルシリルエチレン又はビス−ジアルキルシリルアリ−レン並びにＴHの少なくとも１つにより最も近いＭｅＳｉＨＯ単位から統計的に分離されている、
ことを特徴とする請求項１〜４のいずれか１つに記載の使用。
【請求項６】
成分Ｉ）におけるＳｉＨ基の和対成分Ａ）及びＦ）におけるＳｉ−ビニル基の和のモル比は好ましくは０．８〜１０であることを特徴とする請求項１〜５のいずれか１つに記載の使用。
【請求項７】
成分Ａ）〜Ｉ）の全量を基準として、担体上のＰｔ、Ｐｔ塩、窒素、リン及び／又はアルケン化合物とのＰｔ錯体化合物の形態におけるＰｔ２０〜１００ｐｐｍを触媒Ｊ）として使用することを特徴とする請求項１〜６のいずれか１つに記載の使用。
【請求項８】
飽和疎水化剤Ｅ）はジシラザン類、シリルアミン類及び／又はシラノール類よりなる群から選ばれることを特徴とする請求項１〜７のいずれか１つに記載の使用。